(57)【特許請求の範囲】
【請求項１】
感光体に帯電器を配置し、感光体に静電潜像を形成する前に一様な帯電を行う方式の画像記録装置であって、帯電器を回転可能なローラ状のブラシを備えたブラシ帯電器で構成し、回転停止時における帯電器の逆転を防止する逆転防止手段を設け、
上記逆転防止手段は、ブラシ帯電器と、ブラシ帯電器を駆動させる駆動源との間をギヤ列で構成すると共に、ギヤ列のギヤがバックラッシュレスギヤであることを特徴とする画像記録装置。
【請求項２】
感光体に帯電器を配置し、感光体に静電潜像を形成する前に一様な帯電を行う方式の画像記録装置であって、帯電器を回転可能なローラ状のブラシを備えたブラシ帯電器で構成し、回転停止時における帯電器の逆転を防止する逆転防止手段を設け、
上記逆転防止手段は、ブラシ帯電器の回転軸に所定の負荷トルクを付与するものであることを特徴とする画像記録装置。
【発明の詳細な説明】
【０００１】
【発明の属する技術分野】
本発明は、例えば、ローラ状のブラシ帯電器を備えた電子写真方式の画像記録装置に関するものである。
【０００２】
【従来の技術】
従来、電子写真式の画像記録装置においては、感光体ドラムに対する帯電手段として、一般にはコロナ放電を行う帯電コロナを用いている。そして、帯電コロナの放電により感光体ドラムの表面電位を一定の値に設定してから、画像に応じた光を照射して静電潜像を作成し、その静電潜像に対してトナーを供給することにより、トナー画像としての可視像を作成する。トナー画像は、画像転写位置で、転写コロナ等を用いて用紙に転写し、そのトナー画像を担持する用紙を定着装置を通して定着し、記録紙として排出させる。ところが、コロナを使用する画像記録装置においては、コロナからの高圧放電によりオゾンが発生するという間題がある。このため、排気ファン等の排気手段にオゾンフィルタを設ける必要があり、装置が大型化する。
【０００３】
そこで、小型の画像記録装置に対して、感光体ドラムに帯電させるための帯電器と、トナー画像を用紙に転写するための転写部材とを、ブラシ状ローラにより作成したもの（ブラシ帯電器）またはスポンジで形成したロール状の部材で構成することが行われている。そして、例えばブラシ帯電器を使用することにより、画像形成装置の構成を簡素化できるとともに、放電電圧を比較的低い電圧とし、オゾンの発生をなくすることによって、排気手段の構成ひいては装置全体の構成を簡素化できるという特徴を発揮することが可能になる。
【０００４】
【発明が解決しようとする課題】
上述したような従来の画像記録装置では、ブラシ帯電器のブラシは感光体ドラムに対して常時押圧された状態で、同方向回転（帯電器とドラムの接触部ではカウンター回転）に回転され、ブラシの毛先が感光体ドラムの表面に摺動し、帯電作用をするように構成されている。ところが、ブラシ帯電器の回転の停止時または停止後において、ブラシ帯電器のイナーシャによる余分な回転や、ブラシ帯電器とブラシ帯電器を駆動させる駆動源との間の駆動系の「遊び」（駆動系がギヤ列である場合はギヤのバックラッシュ）により、ブラシ帯電器が逆転することがある。ブラシ帯電器の逆転により、上述のように正転により倒されるように植毛されたブラシの毛先が逆立てられ、毛先が乱れ、変形する。ブラシの毛先が乱れ、変形すると、ブラシ周面が凹凸となり感光体ドラムに接触するブラシ毛先の長さや圧接力等が一定せず、感光体ドラムの帯電にむらができ、印字品質を低下させるといった問題が発生する。さらに、一定しないブラシ帯電器の長さや圧接力のために、回転駆動系に負荷変動が加わり、感光体ドラムの帯電にむらがさらに助長され、印字画質をさらに低下させるといった問題を引き起こしてしまう。
【０００５】
上述の問題は、特に、感光体ドラムから用紙にトナー画像を転写した後で、残留するトナーをクリーニング装置に回収せずに、現像器に戻して再使用する方式（クリーナレス方式）の画像形成装置においてはさらに顕著となる、すなわち感光体ドラムに残留するトナー等を帯電前に除去しないので、クリーニング装置を用いたシステムに比べてブラシ帯電器が汚れやすく、このブラシ帯電器の汚れが、ブラシ毛先の変形とあいまって感光体ドラムの帯電性能に与える影響が大きくなってしまう。
【０００６】
本発明の目的は、従来のこのような欠点を解消するため、ブラシ帯電器の停止時または停止後にブラシ帯電器が逆転することをなくし、逆転によるブラシ帯電器のブラシ毛先の乱れや変形を防止し、感光体ドラムに接触するブラシ毛先の圧接力等を安定させるとともに回転駆動の負荷変動をなくし、感光体ドラムの帯電を安定させ、印字品質を向上できる画像記録装置を提供することにある。
【0007】
【課題を解決するための手段】
上記目的を達成するために、請求項1の発明は、感光体に帯電器を配置し、感光体に静電潜像を形成する前に一様な帯電を行う方式の画像記録装置であって、帯電器を回転可能なローラ状のブラシを備えたブラシ帯電器で構成し、回転停止時における帯電器の逆転を防止する逆転防止手段を設け、上記逆転防止手段は、ブラシ帯電器と、ブラシ帯電器を駆動させる駆動源との間をギヤ列で構成すると共に、ギヤ列のギヤがバックラッシュレスギヤである。また、請求項2の発明は、感光体に帯電器を配置し、感光体に静電潜像を形成する前に一様な帯電を行う方式の画像記録装置であって、帯電器を回転可能なローラ状のブラシを備えたブラシ帯電器で構成し、回転停止時における帯電器の逆転を防止する逆転防止手段を設け、上記逆転防止手段は、ブラシ帯電器の回転軸に所定の負荷トルクを付与するものである。
【０００８】
【発明の実施の形態】
以下、本発明の実施の形態の画像記録装置を図面を参照しつつ述べる。図１は、本発明の実施の形態の画像記録装置を示す外観図である。図２は、図１の装置に組み込んで使用する走査装置の構成を示す断面図でる。図３は、図１の本体フレームに配置するプロセス装置部の断面図である。図４は、図３のプロセス装置の構成を示す断面図である。図５は、図４の感光体ユニットの構成を示す断面図である。図６は、バックラッシュギヤ列による逆転防止手段を備えた感光体ユニットを示す部分断面図である。図７は、図５の感光体ユニットの動作を示すタイミングチャートである。図８は、ブラシ帯電器軸への負荷トルクによる逆転防止手段を備えた帯電器要部を示す部分断面図である。
【０００９】
図示される例にしたがって、本発明の画像記録装置の構成を説明する。図１に示される例は、ファクシミリ装置と複写機とを複合した装置として構成する場合を示しているもので、画像記録装置１は、下部に２つの給紙カセット３、３ａを配置し、その上部に電子写真方式の記録部を備えた本体フレーム２と、本体フレーム２の一側部に設けた支点２１を介して揺動可能に設けた走査部フレーム２０とを組み合わせて構成している。走査部フレーム２０には、フレームの上面にプラテンを配置し、そのプラテンにセットしたブックものの原稿を走査するＦＢＳ（フラットベッドスキャナ）としての走査装置と、プラテンカバーの上面を原稿排出トレイ２８として用い、原稿トレイ２７から挿入する原稿を、自動原稿搬送装置としての原稿搬送部４０内で移動させながら走査し、自動原稿搬送装置（ＡＤＦ）としての動作を行う移動原稿走査部とを設けている。画像記録装置１においては、図１の仮想線で示されるように、本体フレームに対して走査部フレーム２０を開閉可能に構成しているものであり、走査部フレーム２０を支点２１を介して開いた状態では、本体フレーム２の上面が開放される状態となる。
【００１０】
各構成部材と、フレームの開閉機構を配置することにより、本発明の画像記録装置においては、給紙カセットに対する用紙の補給と装置の制御の動作をフロント側から行い得るとともに、手差しトレイを用いた用紙の供給と、コピーの取り出しの動作を両側部から行うことができる。また、走査部フレーム２０を開閉することにより本体フレームの上部を開放して、画像記録部のプロセス装置に対するメンテナンスを行い得るようにする。さらに、プラテンにブックものの原稿をセットする動作を、走査部フレーム２０の上の上部開閉フレーム２５を開閉して行うことができ、プラテンに対してセットした原稿の走査を行いながら、画像情報の送信の動作を容易に行うことができる。
【００１１】
本体フレーム２の下部に収容する給紙カセット３、３ａは、任意のサイズの用紙を収容可能で、装置のフロント側に引き出し可能に設けられている。また、本体フレームの他方の側部には、図３にも示されるように、手差し挿入口５を配置して、手差しトレイ（図１参照）を装着可能に構成し、特殊なサイズの用紙や、給紙カセットに収容しない少数枚の用紙を用いてコピーを作成可能にしており、手差しトレイを装着しない状態では、本体フレームの側面には突出するものがないように構成される。さらに、図１に示されるように、本体フレーム２の一側部には、コピーを収容する排出トレイ７を配置し、大サイズの用紙に対応させて補助トレイ８を引き出し可能に設けている。排出トレイ７は、補助トレイ８を引き出さない状態では、走査部フレーム２０の端部よりも側部に突出しないので、用紙が若干トレイから突出する状態で収容される。
【００１２】
画像記録装置１において、本体フレーム２の上部に配置する走査部フレーム２０には、図２に示すように構成した走査装置３０を設けている。走査装置３０は、一般の複写機や画像記録装置の読取り装置に用いられているものと同様に、ランプ３２と１つのミラーｍ１を設けたフルレートキャリッジ３１と、２つの対向するミラーｍ２、ｍ３を配置するハーフレートキャリッジ３３とを組み合わせて設け、原稿の走査情報をレンズ装置３７を介してＣＣＤ３８に伝達し、光信号を電気信号に変換して、本体フレームに配置する画像情報処理部に伝達する。フルレートキャリッジ３１とハーフレートキャリッジ３３とを駆動するために、本実施の形態においては、径が２：１に設定された駆動プーリ３５、３５ａを同軸に配置し、各々の駆動プーリに巻き掛けたベルト３６、３６ａを介して、２つのキャリッジを各々連動させて移動させる機構を設けている。
【００１３】
走査部フレーム２０の上端には、ブックものの原稿を載置し、ＦＢＳとしての動作に対応させるプラテン２３と、ＡＤＦとしての動作に対応させて、原稿搬送部４０の下部に配置するプラテン２４とを設けている。プラテン２３に対しては、上部開閉フレーム２５を開いて原稿をセットし、上部開閉フレームを閉じることにより、プラテンカバー２６がプラテンの上面に原稿の画像面を押圧させて、固定位置にセットした原稿の走査を行う。そして、プラテン２３にセットした原稿に対しては、図示を省略したセンサの検出情報に応じて、走査装置３０のフルレートキャリッジ３１が原稿の走査方向の長さだけ往復移動し、ハーフレートキャリッジ３３がフルレートキャリッジの半分の速度で移動しながら画像情報の読取りを行い、ＣＣＤ３８を介して画像信号を出力する。また、原稿トレイ２７を用いてシートものの原稿の走査を行う際には、ＡＤＦ（自動原稿搬送装置）としての原稿搬送部４０に設けたＵ型搬送路４４を通して原稿を搬送し、プラテン２４の部分に走査装置を固定する状態で画像の読取りの動作を行う。
【００１４】
原稿搬送部４０に設けるＵ型搬送部４４には、原稿前挿入部のピックアップローラ４２と、用紙さばき装置４３および、Ｕ型搬送路の内部で原稿の搬送を行う搬送ローラ装置４５を設けている。搬送ローラ装置４５には、原稿のターン部の内面の案内面を形成する大径の駆動ローラ４６と、２つのピンチローラ４７、４７ａとを配置し、ピンチローラ４７ａの下流部にプラテン２４を位置させている。また、Ｕ型搬送路４４の終端部には排出ローラ装置４８を配置して、走査が終了した原稿を排出トレイ２８に向けて排出させる。
【００１５】
原稿搬送部４０には、Ｕ型搬送路４４の外側の用紙ガイドを一体に設けた開閉フレーム４１を支軸４０ａを介して開閉可能に設けており、開閉フレーム４１にはピックアップローラ４２と用紙さばき装置４３のローラ、およびピンチローラ４７、４７ａを配置している。そして、開閉フレーム４１を開くことにより、Ｕ型搬送路４４を開放してジャム紙の処理を行い得るようにする。また、図示を省略しているが、Ｕ型搬送路４４の内側のガイド板と駆動ローラ４６、および排出ローラ装置４８の１つのローラを含むフレームを、原稿搬送部の下部フレームに対して開閉可能に設ける場合には、プラテン２４に対する清掃等のメンテナンスを容易に行うことが可能になる。
【００１６】
原稿搬送部４０を用いて、原稿トレイ２７にセットした原稿の走査を行う際には、原稿を原稿トレイにセットしたことを、図示を省略した検知手段の検知信号により制御装置を作動させることや、コントロールパネルに原稿搬送部を用いて、画像読取りの指令を入力することによって行う。そして、信号に応じて、走査装置３０のフルレートキャリッジ３１をプラテン２４に対応する位置に停止させ、ハーフレートキャリッジ３３を走査部フレーム３０の左側の端部にまで移動させ、原稿トレイ２７から原稿を１枚ずつＵ型搬送路４４内で搬送し、プラテン２４の部分で原稿の画像の読取りを行う。したがって、走査部フレーム２０に配置する走査装置においては、２つのプラテン２３、２４に対応させて走査装置をセットし、任意の原稿に対する読取りの動作を行うことができ、画像記録装置の送信機能を利用して、画像情報を送信することができる。
【００１７】
原稿搬送部４０の下部に配置している本体フレーム２には、図３及び図４に示されるような電子写真方式を用いたプロセス装置５０と、給紙カセットから排出トレイに至る用紙搬送機構とを設けている。プロセス装置５０は現像器ユニット５１と感光体ユニット６０とを組み合わせており、感光体ユニット６０に設けた感光体ドラム６２に対して、現像器ユニット５０の現像ローラ５５を配置し、感光体ドラム６２の下部には、用紙の通路を挟むようにして転写ローラ１７を設けている。プロセス装置５０を構成する２つのユニット５１、６０は、後述するように、一体に組み合わせたままで本体フレームの上部から着脱可能に設られ、中間蓋１０を閉じた状態で動作位置に固定保持される。６３は、感光体ドラム６２のドラム軸である。なお、この実施の形態では、感光体に感光体ドラムを用いているが、感光体ベルトを用いることもできる。
【００１８】
本体フレームのプロセス装置の下部に配置される給紙カセット３においては、用紙送り出し側に配置する給紙ローラ１３により用紙を１枚ずつ送り出し、用紙搬送路１４内を搬送して画像転写部を介して、定着装置１８に送り込み、排出ローラ装置１９を介して排出トレイに向けて排出させる。用紙搬送路１４には、搬送ローラ装置１５、１６を設けており、用紙の先端部が搬送ローラ装置１５にニップされると、給紙ローラ１３による送り作用が中断され、搬送ローラ装置１５により用紙が送られる。その後、感光体ドラム６２に形成されるトナー画像のタイミングに応じて、搬送ローラ装置１６が駆動されて用紙を搬送するとともに、転写ローラ１７からの電圧の印加により感光体ドラム６２上の、トナー画像を用紙に転写する。そして、トナー画像が転写された用紙は、感光体ドラム６２による用紙の送り作用により定着装置１８に案内され、定着装置１８の熱ローラと加圧ローラの間を通って定着され、コピーを排出ローラ装置１９により排出トレイに排出させる。
【００１９】
図１に示す装置では、給紙部に２つの給紙カセットを配置しているが、給紙カセット３の下部の給紙カセット３ａからは、図３に示す用紙搬送路１４ａを介して用紙搬送路に送られる。また、図１に示す手差し挿入口５に設けた手差しトレイを介して供給される用紙は、図３に示す手差し用ローラ装置５ａを介して搬送ローラ装置１６に送られ、画像の転写が行われる。本体フレームの縦の用紙搬送路には、側板４を開いた状態で用紙搬送路を開放する手段を設けており、図の仮想線で示された状態よりもさらに大きく開くことにより、縦の用紙搬送路内での用紙の処理を行うことができる。側板４に対しては、本体フレームにロック機構と検知手段とを設けておき、側板を閉じた状態でのみ、用紙の搬送を行い得るようにする。
【００２０】
図３に示すように、用紙搬送路１４の水平部の上部に配置されるプロセス装置５０において、感光体ユニット６０の感光体ドラム６２の上部には書き込み装置７０を配置し、書き込み装置７０は中間蓋１０を閉じた状態で感光体ドラム６２に対して位置決めされるように設けられている。プロセス装置５０は、クリーナレス方式の装置として構成されているもので、クリーニング装置を感光体ドラム６２に配置して、トナー画像を用紙に転写した後で、感光体ドラム６２に付着して残留するトナーを回収する従来のものとは異なる構成を有している。プロセス装置を構成する現像器ユニット５１と感光体ユニット６０との２つのユニットは、本体フレームの保持部に対して、２つのユニットを組み合わせたままで着脱可能に装着される。
【００２１】
図４に示されるように、現像器ユニット５１の非磁性一成分卜ナーを収容する容器部５２には、トナーを攪拌しながら給紙ローラ５４に供給するための攪拌部材５３を配置している。容器部５２からのトナー排出部には供給ローラ５４と、感光体ドラム６２に接する現像ローラ５５、および現像ローラ５５に接する層厚規制部材５６とを設けている。攪拌部材５３はトナーを攪拌しながら供給ローラ５４に向けて供給するもので、任意の羽根部材を設けたものまたは棒状の部材として構成可能である。また、供給ローラ５４は軸にスポンジ状の導電性を有する弾性体、または導電牲の繊維を有する植毛体を、所定の厚さで設けた弾性体ローラとして構成することができる。そして、供給ローラ５４の軸には、図示を省略した給電部材から、−４００〜−６００Ｖ、望ましくは−５００Ｖ前後の値のバイアス電圧が印加される。
【００２２】
現像ローラ５５はステンレス等の金属製のローラ軸に、導電牲のゴム（シリコンゴム、ウレタンゴム、ＮＢＲ）を所定の厚さで被覆したもので構成されているもので、そのローラ表面を平滑なものとして構成する。現像ローラ５５に対しては、−２００〜−４００Ｖ、望ましくは−３００Ｖ前後の値のバイアス電圧が印加される。また、現像ローラ５５に対して配置する層厚規制部材５６は、現像ローラ５５の表面に形成するトナーの薄層を均一な厚さに設定するためのものであり、ウレタン樹脂シートまたはステンレス製の板部材からなるバネ性を有するものとして構成する。そして、層厚規制部材５６に対しては、−３００Ｖ〜−５００Ｖの範囲、望ましくは−４００Ｖ前後の値のバイアス電圧が印加される。
【００２３】
供給ローラ５４と現像ローラ５５との軸芯間距離は、２つのローラの半径の合計よりも若干小さく設定されており、両ローラを同一方向（矢印Ｘ方向）に回転されることにより、両ローラの接触部では圧接されながら反対方向に摺動される状態となる。そして、両ローラの摩擦作用と各々のローラに印加されている電圧の差により、両ローラ間でトナーが帯電されるとともに、現像ローラ５５の表面にトナ−が付着される。さらに、現像ローラ５５の表面に付着されたトナーを層厚規制部材５６により均一な厚さに形成し、感光体ドラム６２に向けて露出させ、感光体ドラム６２に形成された潜像にトナーを移転させて、トナー画像を形成する。
【００２４】
また、図４および図５に示すように、現像器ユニット５１に組み合わせて配置する感光体ユニット６０には、ユニットフレーム６１に支持される感光体ドラム６２と、表面が植毛部材等により帯電されるブラシローラのようなブラシ帯電器６５とを設けている。そして、感光体ドラム６２に対して書き込みユニット７０を配置して画像の書き込みを行うとともに、感光体ドラム６２に形成したトナー画像を転写ローラ１７の放電により用紙に転写する。また、書き込み装置７０はＬＥＤヘッドアレイにより構成されるもので、画像情報出力装置からの情報にもとづいて、ＬＥＤを発光させて感光体ドラム６２に光を照射する。感光体ドラム６２の表面はアースされた光導電体よりなるもので、ブラシ帯電器６５により−７８０Ｖの帯電が行われ、書き込み装置７０より光が照射された部位、すなわち画像情報の黒に対する部分の電位が−８０Ｖ程度となり、光の照射部位と非照射部位（画像情報の白に対応する部分）とで電位差が生じ、画像情報に対応する静電潜像が形成される。
【００２５】
感光体ドラム６２に形成される静電潜像に対して、現像ローラ５５の表面に付着している負に帯電しているトナーが接すると、トナーは感光体ドラム６２の表面の光照射部位に吸引され、感光体ドラム６２の表面にはトナー画像が形成される（反転現像）。トナー画像の転写位置では、用紙の裏面から転写ローラ１７により６００Ｖ〜３．５ｋＶのバイアス電圧が印加されることによって、用紙にトナー画像が転写される。トナー画像が転写された用紙は、感光体ドラム６２の回転により定着器１８に向けて送られる。
【００２６】
また、トナ一画像を用紙に転写した後で、感光体ドラム６２の表面に残留するトナーは、転写ローラ１７の下流側にドラム表面に接するよう配置されたメモリ除去ブラシ６６により掻き乱されて、感光体ドラム６２の表面に分散されるとともに、その後のブラシ帯電器６５の作用により感光体ドラム６２の表面と同じ電位に帯電される。このメモリ除去ブラシ６６にはドラム表面でのトナーの掻き乱しを有効に行わせるために所定の電圧（望ましくは＋３００Ｖ）が印加される。そして、感光体ドラム６２が現像ローラ５５に接する位置で、両者の間の電位差によりトナーは現像ローラ５５側に移転され、容器部から新たに供給されるトナーに混合されて再使用されるようにして、クリーナレス方式の装置として構成している。
【００２７】
感光体ドラム６２とブラシ帯電器６５は、感光体ドラム６２にトナー画像を形成して用紙に転写する印字の動作を行う場合、感光体ドラム６２とブラシ帯電器６５は、図の矢印Ｘ１方向に共に駆動される状態で、ブラシ帯電器６５に加えられる電位により感光体ドラム６２の表面を帯電させる作用が行われる。
【００２８】
次に、ブラシ帯電器６５と感光体ドラム６２の駆動系について、図６を参照して述べる。ブラシ帯電器６５のブラシが植毛されているブラシ帯電器軸６５ａは、ユニットフレーム６１に回転自在に取り付けられている。ブラシ帯電器軸６５ａには、ギア８３が取り付けられ、ブラシ帯電器６５とギア８３は一体回転するようになっている。ギア８３にはギア８２が噛み合っている。ギア８２はユニットフレーム６１に設けられた軸８２ａに回転自在に設けられている。また、感光体ドラム６２の軸６３にはギア８１が取り付けられており、ギア８１は感光体ドラム６２と一体回転するようになっている。ギア８１は上述のギア８２に噛み合っている。
【００２９】
感光体ドラム６２の近傍に駆動源９１が設けられている。駆動源９１の駆動回転軸８４ａにはギア８４が取り付けられている。ギア８４は上述のギア８１に噛み合っている。上述のように、駆動源９１とブラシ帯電器６５との間は、ギア８４、ギア８１、ギア８２、ギア８３から成るギア列８０で連結され、駆動が伝達される。駆動源９１のギア８４は駆動時にＸ方向に回転し、それに伴い、ギア８１及び感光体ドラム６２はＸ１方向に回転する。更にそれに伴い、ギア８２を介して、ブラシ帯電器６５はＸ１方向に回転する。
【００３０】
上述のギヤ列８０を構成するギア８４、ギア８１、ギア８２、ギア８３は、バックラッシュが「０」となるバックラッシュレスギヤを使用している。そのため、駆動源９１の停止時、感光体ドラム６２や帯電器６５のイナーシャ等によりバックラッシュ分だけ帯電器６５が逆転してしまうといったことが防止され、駆動源９１の停止とともに、帯電器６５は確実に停止する。それにより、ブラシ毛先が停止時に逆立てられて乱れ、変形するといった事態が防止される。上記のように、バックラッシュレスギヤ列が帯電器６５の停止時の逆転防止手段となっている。
【００３１】
次に、上述の感光体ユニット６０の動作について、バックラッシュレスギヤを使用した図６およびそのタイミングチャートを示した図７を参照して説明する。図８に示されるように、印字動作がＯＦＦの時は、感光体ドラム６２および帯電器６５は停止状態であり、ブラシ帯電器６５の電位もＯＦＦとなっている。印字動作がＯＮになると、駆動源９１のギヤ８４がＸ方向に回転し、それに伴い感光体ドラム６２およびブラシ帯電器６５のブラシ帯電器がＸ１方向の回転を始め、帯電器ブラシ６５の電位もＯＮとなる。そして、ブラシ帯電器６５により感光体ドラム６２の表面に帯電作用が行われる。印字動作がＯＮからＯＦＦになると、ブラシ帯電器の電位がＯＦＦになると共に、感光体ドラム６２およびブラシ帯電器も停止する。
【００３２】
次に、上述のバックラッシュレスギヤを使用しない逆転防止手段について、図８を参照して説明する。図８に示されるように、ブラシ帯電器６５の軸６５ａに取り付けられたギヤ８３と、軸６５ａを回転可能に支持するユニットフレーム６１との間に、摩擦部材９５が設けられている。摩擦部材９５とユニットフレーム６１、摩擦部材９５とギヤ８４間の摩擦により、ブラシ帯電器６５のブラシ帯電器の回転には所定の負荷トルクが付与される。所定の負荷トルクは、駆動源９１の駆動に支障が無く、且つ、帯電器６５のブラシ帯電器の停止時に感光体ドラム６２等のイナーシャによる帯電器６５の逆転を阻止できるトルク値に設定されている。上述のように、ブラシ帯電器６５に負荷トルクを付与することにより、ブラシ毛先が逆立てられて乱れ、変形するといった事態が防止される。
【００３３】
尚、摩擦部材９５を使用せずに、軸６５ａと軸６５ａを回転可能に支持するユニットフレーム６１との間の嵌め合い寸法の設定により、ブラシ帯電器６５の回転に所定の負荷トルクを付与することも可能である。
【0034】
【発明の効果】
上述のように、本発明により、ブラシ帯電器の停止時または停止後にブラシ帯電器が逆転することをなくし、感光体ドラムとブラシ帯電器の一方向回転（正転）により倒される方向に植毛されたブラシ帯電器のブラシ毛先が、逆転により乱れ、変形するといった問題が防止される。そのため、感光体ドラムに接触するブラシ帯電器の長さや圧接力等が一定し、感光体ドラムの帯電にむらが発生することがない。そして、回転駆動系に負荷変動が加わることも防止され、ブラシ帯電器の帯電性能を良好に維持し、印字品質の劣化を防止することができる。
【００３５】
また、本発明により、ブラシ帯電器の回転の停止時または停止後において、ブラシ帯電器のイナーシャによる余分な回転は阻止されると共に、ブラシ帯電器とブラシ帯電器を駆動させる駆動源との間の駆動系に「遊び」があっても、ブラシ帯電器が逆転してしまうといった問題がない。
【００３６】
さらに、本発明により、駆動系がギヤ列で構成された場合であっても、ギヤのバックラッシュにより、ブラシ帯電器が逆転してしまうといった問題も防止される。
【図面の簡単な説明】
【図１】本発明の実施の形態の画像記録装置を示す外観図である。
【図２】図１の装置に組み込んで使用する走査装置の構成を示す断面図でる。
【図３】図１の本体フレームに配置するプロセス装置部の断面図である。
【図４】図３のプロセス装置の構成を示す断面図である。
【図５】図４の感光体ユニットの構成を示す断面図である。
【図６】バックラッシュギヤ列による逆転防止手段を備えた感光体ユニットを示す部分断面図である。
【図７】図５の感光体ユニットの動作を示すタイミングチャートである。
【図８】ブラシ帯電器軸への負荷トルクによる逆転防止手段を備えた帯電器要部を示す部分断面図である。
【符号の説明】
１      画像記録装置
５０      プロセス装置
６０      感光体ユニット
６２      感光体ドラム
６５      ブラシ帯電器
８０      ギヤ列
８１      バックラッシュレスギヤ
８２      バックラッシュレスギヤ
８３      バックラッシュレスギヤ
８４      バックラッシュレスギヤ
９５      摩擦部材
【図１】
0003772532.tif 000002
【図２】
0003772532.tif 000003
【図３】
0003772532.tif 000004
【図４】
0003772532.tif 000005
【図５】
0003772532.tif 000006
【図６】
0003772532.tif 000007
【図７】
0003772532.tif 000008
【図８】
0003772532.tif 000009